(57)【要約】【課題】装置の小型化を図りつつ、光利用効率を従来よりも向上することが可能な光源装置を提供する。【解決手段】楕円面からなる反射面を有する楕円面リフレクタ１０と、楕円面リフレクタ１０の第１焦点Ｆ１近傍に発光中心を有し、照明光軸１００ａｘに沿って配置された一対の電極を内蔵する管球部３０及び管球部３０の両側に延びる一対の封止部４０，５０を有する発光管２０と、封止部５０に配設され、管球部３０からの光を被照明領域側に向けて反射する内側反射面６２及び楕円面リフレクタ１０の反射面１４で反射された光を楕円面リフレクタ１０に向けて反射する外側反射面６４を有する副鏡６０とを備える光源装置１１０。内側反射面６２及び外側反射面６４のそれぞれは、楕円面リフレクタ１０の第１焦点Ｆ１及び第２焦点Ｆ２と一致する第１焦点Ｆ１及び第２焦点Ｆ２を有する楕円面からなる。【選択図】図３
2009176456.tif 000002
【特許請求の範囲】
【請求項１】
楕円面からなる反射面を有する主鏡と、
前記主鏡の第１焦点近傍に発光中心を有し、照明光軸に沿って配置された一対の電極を内蔵する管球部及び前記管球部の両側に延びる一対の封止部を有する発光管と、
前記一対の封止部のうち前記主鏡が配設される側とは反対の封止部に配設され、前記管球部からの光を被照明領域側に向けて反射する内側反射面及び前記主鏡の前記反射面で反射された光を前記主鏡に向けて反射する外側反射面を有する副鏡とを備え、
前記内側反射面及び前記外側反射面のそれぞれは、前記主鏡の第１焦点及び第２焦点と一致する第１焦点及び第２焦点を有する楕円面からなることを特徴とする光源装置。
【請求項２】
請求項１に記載の光源装置において、
前記副鏡における前記主鏡とは反対側の開口端面近傍に固着される副鏡側固着部と、前記封止部に固着される封止部側固着部とを有し、かつ、透明な副鏡固定部材をさらに備えることを特徴とする光源装置。
【請求項３】
請求項２に記載の光源装置において、
前記副鏡固定部材は、前記照明光軸を軸とする回転対称体からなり、
前記副鏡固定部材の略中心位置には、前記封止部を貫通させる貫通孔が形成されていることを特徴とする光源装置。
【請求項４】
請求項２又は３に記載の光源装置において、
前記副鏡固定部材は、前記照明光軸に沿って見たときの重力に対して上方に開口部をさらに有することを特徴とする光源装置。
【請求項５】
請求項１に記載の光源装置において、
前記副鏡における前記主鏡側の開口端面近傍に固着される副鏡側固着部と、前記封止部に固着される封止部側固着部と、前記管球部の外面の一部を覆うようにして前記副鏡側固着部及び前記封止部側固着部を繋ぐ複数の連結部とを有する副鏡固定部材をさらに備え、
前記複数の連結部における前記管球部に対向する面には、前記管球部からの光を前記管球部に向けて反射する反射面が形成されていることを特徴とする光源装置。
【請求項６】
請求項５に記載の光源装置において、
隣り合う２つの前記連結部間に形成される開口部は、前記照明光軸に沿って見たときの重力に対して上方における前記開口部の総開口面積が、前記照明光軸に沿って見たときの重力に対して下方における前記開口部の総開口面積よりも大きくなるように構成されていることを特徴とする光源装置。
【請求項７】
請求項１〜６のいずれかに記載の光源装置と、
前記光源装置からの照明光束を画像情報に応じて変調する電気光学変調装置と、
前記電気光学変調装置によって変調された光を投写する投写光学系とを備えることを特徴とするプロジェクタ。
【発明の詳細な説明】
【技術分野】
【０００１】
本発明は、光源装置及びプロジェクタに関する。
【背景技術】
【０００２】
従来、プロジェクタに用いる光源装置として、楕円面からなる反射面を有する主鏡を備える光源装置が知られている（例えば、特許文献１参照。）。従来の光源装置によれば、楕円面からなる反射面を有する主鏡を備えているため、放物面からなる反射面を有する主鏡を備える光源装置と比べて、装置を小型化しつつ輝度を高くすることが可能となる。
【０００３】
また、従来の他の光源装置として、副鏡を備える光源装置が知られている（例えば、特許文献２参照。）。従来の他の光源装置によれば、発光管（管球部）から放射される光のうち主鏡で集光されない光は、副鏡によって被照明領域側に向けて反射されるため、本来有効に利用されていなかった光をも有効に利用することが可能となる。また、発光管の被照明領域側端部まで覆うような大きさに主鏡の大きさを設定することを必要とせず、主鏡の小型化、ひいてはプロジェクタの小型化を図ることができる。
【０００４】
これより、楕円面からなる反射面を有する主鏡と上記の副鏡とを組み合わせた光源装置は、装置の小型化を図りつつ、光利用効率を向上することが可能な光源装置であるといえる。
【０００５】
【特許文献１】特開２００２−３５０７７８号公報
【特許文献２】特開２００１−１２５１９７号公報
【発明の開示】
【発明が解決しようとする課題】
【０００６】
ところで、近年のプロジェクタの高輝度化にともない、光源装置の光利用効率をさらに向上したいという要望がある。
【０００７】
そこで、本発明は、このような事情に鑑みてなされたもので、装置の小型化を図りつつ、光利用効率を従来よりも向上することが可能な光源装置及びプロジェクタを提供することを目的とする。
【課題を解決するための手段】
【０００８】
本発明の光源装置は、楕円面からなる反射面を有する主鏡と、前記主鏡の第１焦点近傍に発光中心を有し、照明光軸に沿って配置された一対の電極を内蔵する管球部及び前記管球部の両側に延びる一対の封止部を有する発光管と、前記一対の封止部のうち前記主鏡が配設される側とは反対の封止部に配設され、前記管球部からの光を被照明領域側に向けて反射する内側反射面及び前記主鏡の前記反射面で反射された光を前記主鏡に向けて反射する外側反射面を有する副鏡とを備え、前記内側反射面及び前記外側反射面のそれぞれは、前記主鏡の第１焦点及び第２焦点と一致する第１焦点及び第２焦点を有する楕円面からなることを特徴とする。
【０００９】
このため、本発明の光源装置によれば、楕円面からなる反射面を有する主鏡を備えているため、放物面からなる反射面を有する主鏡を備える光源装置と比べて、装置を小型化しつつ輝度を高くすることが可能となる。
【００１０】
また、本発明の光源装置によれば、管球部から放射される光のうち主鏡で集光されない光は、副鏡の内側反射面によって被照明領域側に向けて反射されるため、本来有効に利用されていなかった光をも有効に利用することが可能となる。また、発光管の被照明領域側端部まで覆うような大きさに主鏡の大きさを設定することを必要としないため、主鏡の小型化を図ることができる。
【００１１】
ところで、本発明の発明者は、従来の他の光源装置（外側反射面を有していない副鏡を備える光源装置）において、光利用効率の向上を阻む要因を徹底的に調査した。その結果、その要因は、主鏡の反射面で反射された光の一部が副鏡の外面（主鏡に対向する面）で遮られていることにあるという知見を得た。すなわち、従来の他の光源装置においては、後述する図５から分かるように、主鏡の反射面で反射された光の一部が副鏡の外面（主鏡に対向する面）で遮られている。このように副鏡の外面で遮られた光は、副鏡を構成する基材に吸収されたり望ましくない反射によって系外に射出されたりして有効に利用することができないため、結果として光利用効率を向上することができないのである。
【００１２】
これに対し、本発明の光源装置によれば、副鏡の外面（主鏡に対向する面）には、主鏡の反射面で反射された光を主鏡に向けて反射する外側反射面が形成されているため、副鏡の外面に入射する光が副鏡を構成する基材に吸収されたり望ましくない反射によって系外に射出されたりするのを抑制することが可能となる。また、主鏡の反射面と副鏡の外側反射面とは、第１焦点及び第２焦点が一致するように構成されているため、副鏡の外側反射面で反射された光は、主鏡の反射面で反射された後、主鏡の第２焦点に向けて集光されることとなる。つまり、本発明の光源装置によれば、副鏡の外側反射面で反射される光は、従来の場合の副鏡の外面で遮られる光とは異なり、有効に利用されることとなる結果、光利用効率を従来よりも向上することが可能となる。
【００１３】
したがって、本発明の光源装置は、装置の小型化を図りつつ、光利用効率を従来よりも向上することが可能な光源装置となる。
【００１４】
本発明の光源装置においては、前記副鏡における前記主鏡とは反対側の開口端面近傍に固着される副鏡側固着部と、前記封止部に固着される封止部側固着部とを有し、かつ、透明な副鏡固定部材をさらに備えることが好ましい。
【００１５】
このように構成することにより、副鏡を発光管に固定することが可能となる。また、副鏡固定部材は透明であるため、副鏡の内側反射面で反射された光を通過させることができ、副鏡の内側反射面で反射された光を有効に利用することが可能となる。
【００１６】
本発明の光源装置においては、前記副鏡固定部材は、前記照明光軸を軸とする回転対称体からなり、前記副鏡固定部材の略中心位置には、前記封止部を貫通させる貫通孔が形成されていることが好ましい。
【００１７】
このように構成することにより、副鏡を発光管に比較的容易に固定することが可能となる。また、副鏡と副鏡固定部材との接触面積及び封止部と副鏡固定部材との接触面積が比較的大きくなるため、副鏡を発光管に確実に固定することが可能となる。
【００１８】
本発明の光源装置においては、前記副鏡固定部材は、前記照明光軸に沿って見たときの重力に対して上方に開口部をさらに有することが好ましい。
【００１９】
ところで、発光管を備える光源装置においては、発光管を点灯させたときには、一般に管球部における重力に対して上側の頂点部分の温度が特に高くなりやすく、管球部を構成する基材の許容温度を超えてしまった場合には、管球部における上側の頂点部分において局所的な膨れが発生したり白化したりする場合がある。白化とは、管球部を構成する基材が白濁して失透する現象のことである。管球部に局所的な膨れが発生すると、強度低下によって発光管が破裂する場合がある。また、管球部が白化すると、白化した箇所において光の透過が妨げられてしまい、これに起因して熱が発生して発光管の温度がさらに上昇する結果、発光管が破裂する場合がある。
【００２０】
なお、管球部における上側の頂点部分の温度上昇を抑制するためには、プロジェクタの使用時に発光管を冷却ファンで冷却することが考えられる。しかしながら、管球部における上側の頂点部分と下側の頂点部分とでは温度差が大きいため、管球部における上側の頂点部分の温度を所定温度以下まで冷却した場合に、管球部における下側の頂点部分が必要以上に冷却されてしまい、管球部における下側の頂点部分が黒化するおそれがある。黒化とは、管球部内において温度が低くなりすぎることによりハロゲンサイクルが円滑に行われず、電極から蒸発したタングステンが管球部の内壁に付着する現象のことである。このように管球部が黒化すると、黒化した箇所において光が吸収されるため、発光管の光量が低下したり発光管が破損したりする場合がある。
【００２１】
このように、発光管を備える光源装置においては、管球部における上側の頂点部分の温度が高くなり易いこと及び管球部における上側の頂点部分と下側の頂点部分とで温度差が大きいことに起因して、発光管の長寿命化を図ることが容易ではないという問題がある。
【００２２】
これに対し、本発明の光源装置によれば、副鏡固定部材における照明光軸の上方位置には開口部が形成されているため、管球部を冷却する際に副鏡固定部材が邪魔になることがなく、管球部における上側の頂点部分を良好に冷却することが可能となる。これにより、管球部における上側の頂点部分の温度上昇を抑制することが可能となる。
また、本発明の光源装置によれば、管球部における下側の頂点部分を含む領域が副鏡と副鏡固定部材とによって覆われることとなるため、発光管を冷却ファンで冷却したときに、管球部における下側の頂点部分を保温することが可能となる。これにより、管球部における上側の頂点部分と下側の頂点部分との温度差を小さくすることが可能となるため、管球部における上側の頂点部分の温度を所定温度以下まで冷却した場合であっても、管球部における下側の頂点部分が必要以上に冷却されてしまうのを抑制することが可能となる。その結果、黒化による発光管の光量低下や発光管の破損の発生を抑制することが可能となる
したがって、本発明の光源装置は、発光管の長寿命化を図ることが可能な光源装置となる。
【００２３】
本発明の光源装置においては、前記副鏡における前記主鏡側の開口端面近傍に固着される副鏡側固着部と、前記封止部に固着される封止部側固着部と、前記管球部の外面の一部を覆うようにして前記副鏡側固着部及び前記封止部側固着部を繋ぐ複数の連結部とを有する副鏡固定部材をさらに備え、前記複数の連結部における前記管球部に対向する面には、前記管球部からの光を前記管球部に向けて反射する反射面が形成されていることが好ましい。
【００２４】
このように構成することによっても、副鏡を発光管に確実に固定することが可能となる。
また、複数の連結部における管球部に対向する面には上記の反射面が形成されているため、管球部から被照明領域側に向けて放射される光のうち複数の連結部が存在する部分に入射する光は、複数の連結部に形成された反射面で管球部に向けて反射され、管球部を通過した後、主鏡の反射面によって主鏡の第２焦点に集光するように反射されることとなる。一方、管球部から被照明領域側に向けて放射される光のうち複数の連結部が存在しない部分に入射する光（複数の連結部間を通過する光）は、副鏡の内側反射面によって主鏡の第２焦点に集光するように反射されることとなる。つまり、本発明の光源装置によれば、管球部から被照明領域側に向けて放射される光を余すところ無く利用することができるため、光利用効率のさらなる向上を図ることが可能な光源装置となる。
【００２５】
本発明の光源装置においては、隣り合う２つの前記連結部間に形成される開口部は、前記照明光軸に沿って見たときの重力に対して上方における前記開口部の総開口面積が、前記照明光軸に沿って見たときの重力に対して下方における前記開口部の総開口面積よりも大きくなるように構成されていることが好ましい。
【００２６】
このように構成することにより、管球部における上側の頂点部分を良好に冷却することが可能となり、管球部における上側の頂点部分の温度上昇を抑制することが可能となる。また、発光管を冷却ファンで冷却したときに、管球部における下側の頂点部分を保温することが可能となるため、管球部における上側の頂点部分と下側の頂点部分との温度差を小さくすることが可能となり、管球部における上側の頂点部分の温度を所定温度以下まで冷却した場合であっても、管球部における下側の頂点部分が必要以上に冷却されてしまうのを抑制することが可能となる。その結果、黒化による発光管の光量低下や発光管の破損の発生を抑制することが可能となる
したがって、本発明の光源装置は、発光管の長寿命化を図ることが可能な光源装置となる。
【００２７】
本発明のプロジェクタは、本発明の光源装置と、前記光源装置からの照明光束を画像情報に応じて変調する電気光学変調装置と、前記電気光学変調装置によって変調された光を投写する投写光学系とを備えることを特徴とする。
【００２８】
このため、本発明のプロジェクタは、装置の小型化を図りつつ、光利用効率を従来よりも向上することが可能な光源装置を備えているため、小型でかつ高輝度のプロジェクタとなる。
【発明を実施するための最良の形態】
【００２９】
以下、本発明の光源装置及びプロジェクタについて、図に示す実施の形態に基づいて説明する。
【００３０】
［実施形態１］
まず、実施形態１に係る光源装置１１０及びプロジェクタ１０００の構成について、図１〜図３を用いて説明する。
図１は、実施形態１に係る光源装置１１０及びプロジェクタ１０００を説明するために示す図である。図１（ａ）はプロジェクタ１０００の光学系を示す図であり、図１（ｂ）は光源装置１１０を説明するために示す側面図である。
図２は、副鏡６０及び副鏡固定部材７０Ａを説明するために示す図である。図２（ａ）は発光管２０の封止部５０に副鏡６０及び副鏡固定部材７０Ａを装着した様子を示す斜視図であり、図２（ｂ）は副鏡６０及び副鏡固定部材７０Ａの分解斜視図であり、図２（ｃ）は図２（ｂ）とは異なる方向から見たときの副鏡６０及び副鏡固定部材７０Ａの分解斜視図である。
図３は、実施形態１に係る光源装置１１０を説明するために示す図である。
【００３１】
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００３２】
実施形態１に係るプロジェクタ１０００は、図１（ａ）に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する３つの液晶光変調装置４００Ｒ，４００Ｇ，４００Ｂと、３つの液晶光変調装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３３】
照明装置１００は、被照明領域側に照明光束を射出する光源装置１１０と、凹レンズ９０と、凹レンズ９０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０とを有する。
【００３４】
光源装置１１０は、図１（ｂ）に示すように、主鏡としての楕円面リフレクタ１０と、楕円面リフレクタ１０の第１焦点Ｆ１近傍に発光中心を有する発光管２０と、副鏡６０と、副鏡６０を発光管２０に固定するための副鏡固定部材７０Ａとを有する。光源装置１１０は、照明光軸１００ａｘを中心軸とする光束を射出する。
【００３５】
発光管２０は、照明光軸１００ａｘに沿って配置された一対の電極４２，５２を内蔵する管球部３０と、管球部３０の両側に延びる一対の封止部４０，５０と、一対の封止部４０，５０内にそれぞれ封止された一対の金属箔４４，５４と、一対の金属箔４４，５４にそれぞれ電気的に接続された一対のリード線４６，５６とを有する。リード線４６，５６に電圧が印加されると、電極４２，５２間に電位差が発生し放電が生じアーク像が生成される。
【００３６】
なお、発光管２０の構成要素の条件等を例示的に示すと、管球部３０及び封止部４０，５０は、例えば石英ガラス製であり、管球部３０内には、水銀、希ガス及び少量のハロゲンが封入されている。電極４２，５２は、例えばタングステン電極であり、金属箔４４，５４は、例えばモリブデン箔である。リード線４６，５６は、例えばモリブデン又はタングステンから構成されている。
また、発光管２０としては、高輝度発光する種々の発光管を採用でき、例えば高圧水銀ランプ、超高圧水銀ランプ、メタルハライドランプ等を採用できる。
【００３７】
楕円面リフレクタ１０は、発光管２０の封止部（一方の封止部）４０を挿通・固定するための首状固定部１２と、発光管２０から放射された光（図３の光Ｌ１参照。）を第２焦点Ｆ２に向けて反射する反射面１４とを有する。反射面１４は、第１焦点Ｆ１及び第２焦点Ｆ２を有する楕円面からなる。楕円面リフレクタ１０は、図示による説明を省略するが、楕円面リフレクタ１０の首状固定部１２に充填されたセメントなどの無機系接着剤によって発光管２０の封止部４０に固着されている。
【００３８】
楕円面リフレクタ１０を構成する基材の材料としては、例えば、結晶化ガラスやアルミナ（Ａｌ２Ｏ３）などを好適に用いることができる。反射面１４の表面には、例えば、酸化チタン（ＴｉＯ２）と酸化シリコン（ＳｉＯ２）との誘電体多層膜からなる可視光反射層が形成されている。
【００３９】
副鏡６０は、図１〜図３に示すように、管球部３０からの光（図３の光Ｌ２参照。）を被照明領域側に向けて反射する内側反射面６２と、楕円面リフレクタ１０の反射面１４で反射された光（図３の光Ｌ３参照。）を楕円面リフレクタ１０に向けて反射する外側反射面６４と、楕円面リフレクタ１０側の開口端面６６と、楕円面リフレクタ１０とは反対側（被照明領域側）の開口端面６８とを有する。副鏡６０は、後述する副鏡固定部材７０Ａによって、発光管２０の封止部（他方の封止部）５０に配設されている。内側反射面６２及び外側反射面６４は、楕円面リフレクタ１０の第１焦点Ｆ１及び第２焦点Ｆ２と一致する第１焦点Ｆ１及び第２焦点Ｆ２を有する楕円面からなる。
なお、この明細書において「第１焦点Ｆ１及び第２焦点Ｆ２が一致する」とは、第１焦点Ｆ１及び第２焦点Ｆ２が完全に一致する場合だけではなく、第１焦点Ｆ１及び第２焦点Ｆ２が実質的に一致する場合も含めた意味で用いている。
【００４０】
楕円面リフレクタ１０の反射面１４の第１焦点Ｆ１及び第２焦点Ｆ２と副鏡６０の内側反射面６２及び外側反射面６４の第１焦点Ｆ１及び第２焦点Ｆ２とが一致しているため、図３に示すように、発光管２０から放射された光（第１焦点Ｆ１からの光）は、楕円面リフレクタ１０の反射面１４並びに副鏡６０の内側反射面６２及び外側反射面６４のいずれの反射面で反射されたとしても、第２焦点Ｆ２に向けて集光することとなる。この原理について、図４を用いてさらに詳細に説明する。
【００４１】
図４は、第１焦点Ｆ１からの光が各反射面で反射されて第２焦点Ｆ２に集光する原理を説明するために示す概念図である。図４中、実線で示す楕円Ｅ１は、楕円面リフレクタ１０の反射面１４から描かれる楕円を示しており、破線で示す楕円Ｅ２は、副鏡６０の内側反射面６２及び外側反射面６４から描かれる楕円を示している。また、楕円Ｅ１と楕円Ｅ２とは、第１焦点Ｆ１及び第２焦点Ｆ２が一致している。
【００４２】
図４に示すように、楕円Ｅ１の第１焦点Ｆ１から楕円Ｅ１上の点Ｐ１に向かう光は、第２焦点Ｆ２に集光する。楕円Ｅ１の第１焦点Ｆ１から楕円Ｅ１上の点Ｐ２に向かう光も、第２焦点Ｆ２に集光する。すなわち、発光管２０から放射された光（第１焦点Ｆ１からの光）は、楕円面リフレクタ１０の反射面１４で反射されて、第２焦点Ｆ２に向けて集光することとなる。
【００４３】
また、楕円Ｅ２の第１焦点Ｆ１から楕円Ｅ２上の点Ｐ３に向かう光は、第２焦点Ｆ２に集光する。すなわち、発光管２０から放射された光（第１焦点Ｆ１からの光）は、副鏡６０の内側反射面６２で反射されて、第２焦点Ｆ２に向けて集光することとなる。
【００４４】
また、楕円Ｅ２の第１焦点Ｆ１から楕円Ｅ１上の点Ｐ１に向かう光は、楕円Ｅ２上の点Ｐ３で反射されたとき、図４からも明らかなように、必ず楕円Ｅ１上の点Ｐ２に向かうこととなる。この点Ｐ３から点Ｐ２に向かう光は、第２焦点Ｆ２に集光する。つまり、発光管２０から放射された光（第１焦点Ｆ１からの光）は、副鏡６０の外側反射面６４で反射されて、楕円面リフレクタ１０の反射面１４でさらに反射されて、第２焦点Ｆ２に向けて集光することとなる。
【００４５】
このように、発光管２０から放射された光（第１焦点Ｆ１からの光）は、楕円面リフレクタ１０の反射面１４並びに副鏡６０の内側反射面６２及び外側反射面６４のいずれの反射面で反射されたとしても、第２焦点Ｆ２に向けて集光することとなる。
【００４６】
副鏡固定部材７０Ａは、図２に示すように、ドーナツ形状の透明板（例えば、ガラス板など。）からなり、開口端面６８に固着される副鏡側固着部７２Ａと、封止部５０に固着される封止部側固着部７４Ａと、副鏡固定部材７０Ａの略中心位置に形成され、封止部５０を貫通させる貫通孔７６Ａとを有する。副鏡側固着部７２Ａは、図２（ｃ）に示すように、副鏡固定部材７０Ａの副鏡６０側の面における外周部分に位置する。副鏡６０と副鏡固定部材７０Ａとは、副鏡側固着部７２Ａの部分に塗布された図示しない接着剤によって接着固定されている。また、副鏡固定部材７０Ａと封止部５０とは、封止部側固着部７４Ａの部分に塗布された図示しない接着剤によって接着固定されている。
【００４７】
凹レンズ９０は、図１（ａ）に示すように、楕円面リフレクタ１０の被照明領域側に配置されている。そして、楕円面リフレクタ１０からの光を第１レンズアレイ１２０に向けて射出するように構成されている。
【００４８】
第１レンズアレイ１２０は、凹レンズ９０からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、後述する液晶パネルの画像形成領域の外形形状に関して相似形である。
【００４９】
第２レンズアレイ１３０は、重畳レンズ１５０とともに、第１レンズアレイ１２０の各第１小レンズ１２２の像を液晶パネルの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００５０】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束のうち一方の偏光成分（例えばＰ偏光成分）を有する光を透過し他方の偏光成分（例えばＳ偏光成分）を有する光を照明光軸１００ａｘに垂直な方向に反射する偏光分離層と、偏光分離層で反射された他方の偏光成分を有する光を照明光軸１００ａｘに平行な方向に反射する反射層と、偏光分離層を透過した一方の偏光成分を有する光を他方の偏光成分を有する光に変換する位相差板とを有する。
【００５１】
重畳レンズ１５０は、第１レンズアレイ１２０、第２レンズアレイ１３０及び偏光変換素子１４０を経た複数の部分光束を集光して液晶パネルの画像形成領域近傍に重畳させるための光学素子である。重畳レンズ１５０は、重畳レンズ１５０の光軸と照明装置１００の照明光軸１００ａｘとが略一致するように配置されている。なお、重畳レンズ１５０は、複数のレンズを組み合わせた複合レンズで構成されていてもよい。
【００５２】
色分離光学系２００は、ダイクロイックミラー２１０，２２０と、反射ミラー２３０，２４０，２５０と、入射側レンズ２６０と、リレーレンズ２７０とを有する。色分離光学系２００は、重畳レンズ１５０から射出される照明光束を、赤色光、緑色光及び青色光の３つの色光に分離して、それぞれの色光を照明対象となる３つの液晶光変調装置４００Ｒ，４００Ｇ，４００Ｂに導く機能を有する。
【００５３】
ダイクロイックミラー２１０，２２０は、所定の波長領域の光束を反射し他の波長領域の光束を透過する波長選択膜が基板上に形成された光学素子である。光路前段に配置されるダイクロイックミラー２１０は、赤色光成分を反射し、その他の色光成分を透過させるミラーである。光路後段に配置されるダイクロイックミラー２２０は、緑色光成分を反射し、青色光成分を透過させるミラーである。
【００５４】
ダイクロイックミラー２１０で反射された赤色光成分は、反射ミラー２３０により反射され、集光レンズ３００Ｒを介して赤色光用の液晶光変調装置４００Ｒに入射する。集光レンズ３００Ｒは、重畳レンズ１５０からの各部分光束を各主光線に対して略平行な光束に変換するために設けられている。なお、他の集光レンズ３００Ｇ，３００Ｂも、集光レンズ３００Ｒと同様に構成されている。
【００５５】
ダイクロイックミラー２１０を通過した緑色光成分及び青色光成分のうち緑色光成分は、ダイクロイックミラー２２０で反射され、集光レンズ３００Ｇを通過して緑色光用の液晶光変調装置４００Ｇに入射する。一方、青色光成分は、ダイクロイックミラー２２０を透過し、入射側レンズ２６０、入射側の反射ミラー２４０、リレーレンズ２７０、射出側の反射ミラー２５０及び集光レンズ３００Ｂを通過して青色光用の液晶光変調装置４００Ｂに入射する。入射側レンズ２６０、リレーレンズ２７０及び反射ミラー２４０，２５０は、ダイクロイックミラー２２０を透過した青色光成分を液晶光変調装置４００Ｂまで導く機能を有する。
【００５６】
液晶光変調装置４００Ｒ，４００Ｇ，４００Ｂは、画像情報に応じて照明光束を変調するものであり、照明装置１００の照明対象となる。
液晶光変調装置４００Ｒ，４００Ｇ，４００Ｂは、ここでは図示による説明を省略するが、液晶パネルと、液晶パネルの光入射側に配置される入射側偏光板と、液晶パネルの光射出側に配置され、入射側偏光板を透過する光の偏光軸と直交する偏光軸の光を透過する射出側偏光板とを有する。
【００５７】
液晶パネルは、一対の透明なガラス基板（対向基板とＴＦＴ基板）に電気光学物質である液晶を密閉封入したものであり、ＴＮ型の液晶パネルである。例えば、ポリシリコンＴＦＴをスイッチング素子として、与えられた画像情報に従って、入射側偏光板から射出される１種類の直線偏光の偏光方向を変調する。
【００５８】
入射側偏光板、液晶パネル及び射出側偏光板によって入射する各色光の光変調が行われる。
【００５９】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、青色光を反射するものであり、他方の界面に形成された誘電体多層膜は、赤色光を反射するものである。これらの誘電体多層膜によって青色光及び赤色光は曲折され、緑色光の進行方向と揃えられることにより、３つの色光が合成される。
【００６０】
クロスダイクロイックプリズム５００から射出されたカラー画像は、投写光学系６００によって拡大投写され、スクリーンＳＣＲ上で大画面画像を形成する。
【００６１】
以上のように構成された実施形態１に係る光源装置１１０によれば、楕円面からなる反射面１４を有する楕円面リフレクタ１０を備えているため、放物面からなる反射面を有する主鏡（いわゆる放物面リフレクタ）を備える光源装置と比べて、装置を小型化しつつ輝度を高くすることが可能となる。
【００６２】
また、実施形態１に係る光源装置１１０によれば、管球部３０から放射される光のうち楕円面リフレクタ１０で集光されない光（例えば、図３の光Ｌ２参照。）は、副鏡６０の内側反射面６２によって被照明領域側に向けて反射されるため、本来有効に利用されていなかった光をも有効に利用することが可能となる。また、発光管２０の被照明領域側端部まで覆うような大きさに楕円面リフレクタ１０の大きさを設定することを必要としないため、楕円面リフレクタの小型化を図ることができる。
【００６３】
ここで、実施形態１に係る光源装置１１０をさらに詳細に説明するにあたり、実施形態１の比較例に係る光源装置１１０ａを説明する。
【００６４】
図５は、比較例に係る光源装置１１０ａを説明するために示す図である。図５（ａ）は光源装置１１０ａを説明するために示す側面図であり、図５（ｂ）は副鏡６０ａの外面６４ａで遮られる光の様子を拡大して示す図である。なお、図５（ａ）において、図１（ｂ）と同一の部材については同一の符号を付し、詳細な説明は省略する。
【００６５】
比較例に係る光源装置１１０ａは、基本的には実施形態１に係る光源装置１１０とよく似た構成を有するが、副鏡が外側反射面を有していない点及び副鏡固定部材を備えていない点で、実施形態１に係る光源装置１１０とは異なる。
【００６６】
比較例に係る光源装置１１０ａにおいては、図５（ａ）に示すように、楕円面リフレクタ１０の反射面１４で反射された光の一部（光Ｌａ参照。）が副鏡６０ａの外面６４ａで遮られている。このように副鏡６０ａの外面６４ａで遮られた光Ｌａは、図５（ｂ）に示すように、副鏡６０ａを構成する基材に吸収されたり望ましくない反射によって系外に射出されたりして有効に利用することができないため、結果として光利用効率を向上することができない。
【００６７】
これに対し、実施形態１に係る光源装置１１０によれば、副鏡６０の外面には、楕円面リフレクタ１０の反射面で反射された光を楕円面リフレクタ１０に向けて反射する外側反射面６４が形成されているため、副鏡６０の外面に入射する光が副鏡６０を構成する基材に吸収されたり望ましくない反射によって系外に射出されたりするのを抑制することが可能となる。また、楕円面リフレクタ１０の反射面１４と副鏡６０の外側反射面６４とは、第１焦点Ｆ１及び第２焦点Ｆ２が一致するように構成されているため、副鏡６０の外側反射面６４で反射された光（図３の光Ｌ３参照。）は、楕円面リフレクタ１０の反射面１４で反射された後、楕円面リフレクタ１０の第２焦点Ｆ２に向けて集光されることとなる。つまり、実施形態１に係る光源装置１１０によれば、副鏡６０の外側反射面６４で反射される光は、比較例の場合の副鏡６０ａの外面６４ａで遮られる光とは異なり、有効に利用されることとなる結果、光利用効率を従来よりも向上することが可能となる。
【００６８】
したがって、実施形態１に係る光源装置１１０は、装置の小型化を図りつつ、光利用効率を従来よりも向上することが可能な光源装置となる。
【００６９】
実施形態１に係る光源装置１１０においては、上記した副鏡固定部材７０Ａをさらに備えるため、副鏡６０を発光管２０に固定することが可能となる。また、副鏡固定部材７０Ａは透明であるため、副鏡６０の内側反射面６２で反射された光を通過させることができ、副鏡６０の内側反射面６２で反射された光を有効に利用することが可能となる。
【００７０】
実施形態１に係る光源装置１１０においては、副鏡固定部材７０Ａは、照明光軸１００ａｘを軸とする回転対称体からなり、副鏡固定部材７０Ａの略中心位置には、封止部５０を貫通させる貫通孔７６Ａが形成されているため、副鏡６０を発光管２０に比較的容易に固定することが可能となる。また、副鏡６０と副鏡固定部材７０Ａとの接触面積及び封止部５０と副鏡固定部材７０Ａとの接触面積が比較的大きくなるため、副鏡６０を発光管２０に確実に固定することが可能となる。
【００７１】
実施形態１に係るプロジェクタ１０００は、装置の小型化を図りつつ、光利用効率を従来よりも向上することが可能な光源装置１１０を備えているため、小型でかつ高輝度のプロジェクタとなる。
【００７２】
［実施形態２及び３］
図６は、実施形態２に係る光源装置１１２を説明するために示す図である。図６（ａ）は光源装置１１２を説明するために示す側面図であり、図６（ｂ）は発光管２０の封止部５０に副鏡６０及び副鏡固定部材７０Ｂを装着した様子を示す斜視図であり、図６（ｃ）は副鏡固定部材７０Ｂの正面図である。
図７は、実施形態３に係る光源装置１１４を説明するために示す図である。図７（ａ）は光源装置１１４を説明するために示す側面図であり、図７（ｂ）は発光管２０の封止部５０に副鏡６０及び副鏡固定部材７０Ｃを装着した様子を示す斜視図であり、図７（ｃ）は副鏡固定部材７０Ｃの正面図である。
なお、図６及び図７において、図１及び図２と同一の部材については同一の符号を付し、詳細な説明は省略する。
【００７３】
実施形態２及び３に係る光源装置１１２，１１４は、基本的には実施形態１に係る光源装置１１０と同様の構成を有するが、副鏡固定部材の形状が実施形態１に係る光源装置１１０とは異なる。
【００７４】
すなわち、実施形態２に係る光源装置１１２においては、副鏡固定部材として、図６に示すように、照明光軸１００ａｘの上方位置（ｙ軸方向上側の領域）に扇形状の開口部７８Ｂが形成された副鏡固定部材７０Ｂを備えている。
【００７５】
また、実施形態３に係る光源装置１１４においては、副鏡固定部材として、図７に示すように、略半月形状の副鏡固定部材７０Ｃを備えている。
【００７６】
このように、実施形態２及び３に係る光源装置１１２，１１４は、実施形態１に係る光源装置１１０とは副鏡固定部材の形状が異なるが、実施形態１に係る光源装置１１０の場合と同様に、楕円面からなる反射面１４を有する楕円面リフレクタ１０と、内側反射面６２及び外側反射面６４を有する副鏡６０とを備えているため、装置の小型化を図りつつ、光利用効率を従来よりも向上することが可能な光源装置となる。
【００７７】
ところで、発光管を備える光源装置においては、管球部３０における上側の頂点部分３２の温度が高くなり易いこと及び管球部３０における上側の頂点部分３２と下側の頂点部分３４とで温度差が大きいことに起因して、発光管の長寿命化を図ることが容易ではないという問題がある。
【００７８】
これに対し、実施形態２に係る光源装置１１２によれば、図６に示すように、副鏡固定部材７０Ｂにおける照明光軸１００ａｘの上方位置には開口部７８Ｂが形成されているため、管球部３０を冷却する際に副鏡固定部材７０Ｂが邪魔になることがなく、管球部３０における上側の頂点部分３２を良好に冷却することが可能となる。これにより、管球部３０における上側の頂点部分３２の温度上昇を抑制することが可能となる。
また、実施形態２に係る光源装置１１２によれば、図６（ａ）に示すように、管球部３０における下側の頂点部分３４を含む領域が副鏡６０と副鏡固定部材７０Ｂとによって覆われることとなるため、発光管２０を冷却ファンで冷却したときに、管球部３０における下側の頂点部分３４を保温することが可能となる。これにより、管球部３０における上側の頂点部分３２と下側の頂点部分３４との温度差を小さくすることが可能となるため、管球部３０における上側の頂点部分３２の温度を所定温度以下まで冷却した場合であっても、管球部３０における下側の頂点部分３４が必要以上に冷却されてしまうのを抑制することが可能となる。その結果、黒化による発光管の光量低下や発光管の破損の発生を抑制することが可能となる
したがって、実施形態２に係る光源装置１１２は、発光管の長寿命化を図ることが可能な光源装置となる。
【００７９】
また、実施形態３に係る光源装置１１４によれば、図７に示すように、略半月形状の副鏡固定部材７０Ｂが上側を開けた状態で封止部５０に固着されているため、管球部３０を冷却する際に副鏡固定部材７０Ｃが邪魔になることがなく、管球部３０における上側の頂点部分３２を良好に冷却することが可能となる。これにより、管球部３０における上側の頂点部分３２の温度上昇を抑制することが可能となる。
また、実施形態３に係る光源装置１１４によれば、図７（ａ）に示すように、管球部３０における下側の頂点部分３４を含む領域が副鏡６０と副鏡固定部材７０Ｃとによって覆われることとなるため、実施形態２に係る光源装置１１２の場合と同様に、管球部３０における上側の頂点部分３２と下側の頂点部分３４との温度差を小さくすることが可能となり、結果として、黒化による発光管の光量低下や発光管の破損の発生を抑制することが可能となる
したがって、実施形態３に係る光源装置１１４も、実施形態２に係る光源装置１１２と同様に、発光管の長寿命化を図ることが可能な光源装置となる。
【００８０】
実施形態２及び３に係る光源装置１１２，１１４は、副鏡固定部材の形状以外の点では、実施形態１に係る光源装置１１０と同様の構成を有するため、実施形態１に係る光源装置１１０が有する効果のうち該当する効果をそのまま有する。
【００８１】
［実施形態４］
図８は、実施形態４に係る光源装置１１６を説明するために示す図である。図８（ａ）は光源装置１１６を説明するために示す側面図であり、図８（ｂ）は発光管２０の封止部５０に副鏡６０及び副鏡固定部材８０を装着した様子を示す斜視図であり、図８（ｃ）は副鏡固定部材８０の斜視図であり、図８（ｄ）は副鏡６０及び副鏡固定部材８０を照明光軸１００ａｘに沿った方向から見た（封止部５０側から封止部４０側に向かって見た）ときの図であり、図８（ｅ）は図８（ｄ）に示す開口部Ａ１〜Ａ３の開口面積Ｓ１〜Ｓ３を示す図である。
図９は、実施形態４に係る光源装置１１６を説明するために示す図である。
なお、図８及び図９において、図１〜図３と同一の部材については同一の符号を付し、詳細な説明は省略する。
【００８２】
実施形態４に係る光源装置１１６は、基本的には実施形態１に係る光源装置１１０と同様の構成を有するが、副鏡固定部材の構成が実施形態１に係る光源装置１１０とは異なる。
【００８３】
すなわち、実施形態４に係る光源装置１１６においては、副鏡固定部材として、図８に示すように、副鏡６０における楕円面リフレクタ１０側の位置で副鏡６０を封止部５０に固定するための副鏡固定部材８０を備えている。
【００８４】
副鏡固定部材８０は、開口端面６６近傍（内側反射面６２における開口端面６６側の一部）に固着される副鏡側固着部８１，８２，８３と、封止部５０に固着される封止部側固着部８４と、管球部３０の外面の一部を覆うようにして副鏡側固着部８１〜８３及び封止部側固着部８４を繋ぐ３つの連結部８５，８６，８７とを有する。連結部８５〜８７における管球部３０に対向する面には、図８（ｃ）に示すように、管球部３０からの光を管球部３０に向けて反射する反射面８５ａ，８６ａ，８７ａがそれぞれ形成されている。副鏡側固着部８１〜８３は、３つの連結部８５〜８７の先端部分に位置し、封止部側固着部８４は、副鏡固定部材８０におけるリング部分の内周部分に位置する。副鏡６０と副鏡固定部材８０とは、副鏡側固着部８１〜８３の部分に塗布された図示しない接着剤によって接着固定されている。また、副鏡固定部材８０と封止部５０とは、封止部側固着部８４の部分に塗布された図示しない接着剤によって接着固定されている。
【００８５】
実施形態４に係る光源装置１１６においては、隣り合う２つの連結部間に形成される開口部は、照明光軸１００ａｘに沿って見たときの重力に対して上方における開口部の総開口面積が、照明光軸１００ａｘに沿って見たときの重力に対して下方における開口部の総開口面積よりも大きくなるように構成されている。図８（ｄ）及び図８（ｅ）を用いて具体的に説明すると、連結部８５と連結部８７との間に形成される開口部Ａ１の開口面積をＳ１とし、連結部８５と連結部８６との間に形成される開口部Ａ２の開口面積をＳ２とし、連結部８６と連結部８７との間に形成される開口部Ａ３の開口面積をＳ３としたとき、照明光軸１００ａｘに沿って見たときの重力に対して上方における開口部（Ａ１）の総開口面積、すなわちＳ１は、照明光軸１００ａｘに沿って見たときの重力に対して下方における開口部（Ａ２，Ａ３）の総開口面積、すなわちＳ２とＳ３の和よりも大きくなるように構成されている。
【００８６】
なお、この明細書において「照明光軸１００ａｘに沿って見たときの重力に対して上方における開口部の総開口面積」とは、図８（ｅ）を用いて説明すると、副鏡６０及び副鏡固定部材８０を、照明光軸１００ａｘに沿って封止部５０側から封止部４０側に向かって見たときに、照明光軸１００ａｘを含む水平面（ｘ−ｚ平面）Ｈよりも上側に存在する開口部の総開口面積（開口面積の和）のことをいう。また「照明光軸１００ａｘに沿って見たときの重力に対して下方における開口部の総開口面積」とは、副鏡６０及び副鏡固定部材８０を、照明光軸１００ａｘに沿って封止部５０側から封止部４０側に向かって見たときに、照明光軸１００ａｘを含む水平面（ｘ−ｚ平面）Ｈよりも下側に存在する開口部の総開口面積（開口面積の和）のことをいう。
【００８７】
このように、実施形態４に係る光源装置１１６は、実施形態１に係る光源装置１１０とは副鏡固定部材の構成が異なるが、実施形態１に係る光源装置１１０の場合と同様に、楕円面からなる反射面１４を有する楕円面リフレクタ１０と、内側反射面６２及び外側反射面６４を有する副鏡６０とを備えているため、装置の小型化を図りつつ、光利用効率を従来よりも向上することが可能な光源装置となる。
【００８８】
実施形態４に係る光源装置１１６においては、上記した副鏡固定部材８０をさらに備えているため、副鏡６０を発光管２０に確実に固定することが可能となる。
また、連結部８５〜８７における管球部３０に対向する面には上記の反射面８５ａ〜８７ａが形成されているため、図９に示すように、管球部３０から被照明領域側に向けて放射される光のうち連結部８５〜８７が存在する部分に入射する光Ｌ４は、連結部８５〜８７に形成された反射面８５ａ〜８７ａで管球部３０に向けて反射され、管球部３０を通過した後、楕円面リフレクタ１０の反射面１４によって楕円面リフレクタ１０の第２焦点Ｆ２に集光するように反射されることとなる。一方、管球部３０から被照明領域側に向けて放射される光のうち連結部８５〜８７が存在しない部分に入射する光（連結部８５〜８７間を通過する光、図９の光Ｌ２参照。）は、副鏡６０の内側反射面６２によって楕円面リフレクタの第２焦点Ｆ２に集光するように反射されることとなる。つまり、実施形態４に係る光源装置１１６によれば、管球部３０から被照明領域側に向けて放射される光を余すところ無く利用することができるため、光利用効率のさらなる向上を図ることが可能な光源装置となる。
【００８９】
実施形態４に係る光源装置１１６においては、隣り合う２つの連結部間に形成される開口部は、照明光軸１００ａｘに沿って見たときの重力に対して上方における開口部（Ａ１）の総開口面積（Ｓ１）が、照明光軸１００ａｘに沿って見たときの重力に対して下方における開口部（Ａ２，Ａ３）の総開口面積（Ｓ２＋Ｓ３）よりも大きくなるように構成されている。これにより、管球部３０における上側の頂点部分３２を良好に冷却することが可能となり、管球部３０における上側の頂点部分３２の温度上昇を抑制することが可能となる。また、発光管２０を冷却ファンで冷却したときに、管球部３０における下側の頂点部分３４を保温することが可能となるため、管球部３０における上側の頂点部分３２と下側の頂点部分３４との温度差を小さくすることが可能となり、管球部３０における上側の頂点部分３２の温度を所定温度以下まで冷却した場合であっても、管球部３０における下側の頂点部分３４が必要以上に冷却されてしまうのを抑制することが可能となる。その結果、黒化による発光管の光量低下や発光管の破損の発生を抑制することが可能となる
したがって、実施形態４に係る光源装置１１６は、発光管の長寿命化を図ることが可能な光源装置となる。
【００９０】
実施形態４に係る光源装置１１６は、副鏡固定部材の構成以外の点では、実施形態１に係る光源装置１１０と同様の構成を有するため、実施形態１に係る光源装置１１０が有する効果のうち該当する効果をそのまま有する。
【００９１】
以上、本発明の光源装置及びプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００９２】
上記実施形態４においては、副鏡６０と副鏡固定部材８０とが別体として構成され、これら部材が接着固定されている場合を例示して説明したが、本発明はこれに限定されるものではなく、副鏡６０と副鏡固定部材８０とが一体化されていてもよい。
【００９３】
上記実施形態４においては、３つの連結部８５〜８７を有する副鏡固定部材８０を例示して説明したが、本発明はこれに限定されるものではなく、１つ、２つ又は４つ以上の連結部を有する副鏡固定部材を用いてもよい。
【００９４】
上記実施形態４においては、連結部８５〜８７における管球部３０に対向する面に反射面８５ａ〜８７ａが形成された副鏡固定部材８０を例示して説明したが、本発明はこれに限定されるものではない。例えば、各連結部が透明な部材からなる場合であれば、このような反射面が形成されていなくてもよい。
【００９５】
本発明の光源装置をプロジェクタに適用した例について説明したが、本発明はこれに限定されるものではない。本発明の光源装置を他の光学機器（例えば、光ディスク装置など。）に適用することも可能である。
【００９６】
上記実施形態１においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【００９７】
上記実施形態１に係るプロジェクタ１０００は透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクタにこの発明を適用した場合にも、透過型のプロジェクタと同様の効果を得ることができる。
【００９８】
上記実施形態１においては、３つの液晶光変調装置４００Ｒ，４００Ｇ，４００Ｂを用いたプロジェクタを例示して説明したが、本発明はこれに限定されるものではなく、１つ、２つ又は４つ以上の液晶光変調装置を用いたプロジェクタにも適用可能である。
【００９９】
上記実施形態１においては、電気光学変調装置として液晶光変調装置を用いたが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【０１００】
本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１０１】
【図１】実施形態１に係る光源装置１１０及びプロジェクタ１０００を説明するために示す図。
【図２】副鏡６０及び副鏡固定部材７０Ａを説明するために示す図。
【図３】実施形態１に係る光源装置１１０を説明するために示す図。
【図４】第１焦点Ｆ１からの光が各反射面で反射されて第２焦点Ｆ２に集光する原理を説明するために示す概念図。
【図５】比較例に係る光源装置１１０ａを説明するために示す図。
【図６】実施形態２に係る光源装置１１２を説明するために示す図。
【図７】実施形態３に係る光源装置１１４を説明するために示す図。
【図８】実施形態４に係る光源装置１１６を説明するために示す図。
【図９】実施形態４に係る光源装置１１６を説明するために示す図。
【符号の説明】
【０１０２】
１０…楕円面リフレクタ、１２…首状固定部、１４…（楕円面リフレクタの）反射面、２０…発光管、３０…管球部、３２…管球部の上側の頂点部分、３４…管球部の下側の頂点部分、４０，５０…封止部、４２，５２…電極、４４，５４…金属箔、４６，５６…リード線、６０，６０ａ…副鏡、６２，６２ａ…内側反射面、６４…外側反射面、６４ａ…外面、６６…（主鏡側の）開口端面、６８…（光射出側の）開口端面、７０Ａ，７０Ｂ，７０Ｃ，８０…副鏡固定部材、７２Ａ，８１，８２，８３…副鏡側固着部、７４Ａ，７４Ｂ，７４Ｃ，８４…封止部側固着部、７６Ａ，７６Ｂ…貫通孔、７８Ｂ…開口部、８５，８６，８７…連結部、８５ａ，８６ａ，８７ａ…（連結部の）反射面、９０…凹レンズ、１００…照明装置、１００ａｘ…照明光軸、１１０，１１０ａ，１１２，１１４，１１６…光源装置、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…液晶光変調装置、５００…クロスダイクロイックプリズム、６００…投写光学系、１０００…プロジェクタ、Ａ１，Ａ２，Ａ３…開口部、Ｅ１…（楕円面リフレクタの反射面によって描かれる）楕円、Ｅ２…（副鏡の各反射面によって描かれる）楕円、Ｆ１…第１焦点、Ｆ２…第２焦点、Ｈ…照明光軸を含む水平面、Ｌ１，Ｌ２，Ｌ３，Ｌ４，Ｌａ…光、Ｐ１，Ｐ２…楕円Ｅ１上の点、Ｐ３…楕円Ｅ２上の点、Ｓ１，Ｓ２，Ｓ３…開口面積、ＳＣＲ…スクリーン
【図１】
2009176456.tif 000003
【図３】
2009176456.tif 000004
【図５】
2009176456.tif 000005
【図９】
2009176456.tif 000006
【図２】
2009176456.tif 000007
【図４】
2009176456.tif 000008
【図６】
2009176456.tif 000009
【図７】
2009176456.tif 000010
【図８】
2009176456.tif 000011